(57)【要約】【課題】壁部材と基礎との接合構造を構築するために、基礎と壁部材を連結する柱脚鋼板の下方側部を基礎のコンクリートに埋設固定するメタルアンカー定規を提供すること。【解決手段】一対のメタルフォーム２の上面に固定される基板３と、該基板３にメタルフォーム２の長手方向に平行に形成した柱脚鋼板４挿通用の細長いスリット状の開口部５と、該開口部５の長手方向の開口縁に沿って直立して設けた一対の支持板６と、該一対の支持板６の隙間の所定位置に前記柱脚鋼板４の上方側部４ａに形成した貫通孔４ｂと重なり合うように形成した支持孔６ａと、該支持孔６ａ及び前記貫通孔４ｂに挿通して前記柱脚鋼板４を支持板６の隙間６ｂに挟んだ状態で係止する係止具７と、を具備するメタルアンカー定規。【選択図】図１
2018199946.tif 000002
【特許請求の範囲】
【請求項１】
一対のメタルフォームの上面に固定される基板と、該基板にメタルフォームの長手方向に平行に形成した柱脚鋼板挿通用の細長いスリット状の開口部と、該開口部の長手方向の開口縁に沿って直立して設けた一対の支持板と、該一対の支持板の隙間の所定位置に前記柱脚鋼板の上方側部に形成した貫通孔と重なり合うように形成した支持孔と、該支持孔及び前記貫通孔に挿通して前記柱脚鋼板を支持板の隙間に挟んだ状態で係止する係止具と、を具備することを特徴とするメタルアンカー定規。
【請求項２】
前記開口部が基板の幅方向に複数あることを特徴とする請求項１に記載のメタルアンカー定規。
【請求項３】
前記開口部が細長いスリット状の開口部の途中に拡大開口部を有することを特徴とする請求項１又は２に記載のメタルアンカー定規。
【発明の詳細な説明】
【技術分野】
【０００１】
この発明は、壁部材を基礎に固定するために使用する柱脚鋼板の基礎へ埋設固定するメタルアンカー定規に関する。
【背景技術】
【０００２】
この出願人は、この出願に先がけて特願２０１７−１０３１３４号の特許出願を行い、壁部材と基礎と接合構造について新規な発明を提案した。この新規な壁部材と基礎の接合構造２０の発明は、図１３、図１４に示すように、基礎Ａに下方側部４ｃを埋設固定され上方側部４ａを基礎Ａの表面から露出した柱脚鋼板４と、該柱脚鋼板４の基礎Ａの表面より露出した上方側部４ａを収納するために底面の開口部３０ａから上方に向かって形成したスリット３０ｃを具備する壁部材３０と、前記柱脚鋼板４の上方側部４ａに形成した貫通孔４ｂ及び前記壁部材３０の前記スリット３０ｃを直角方向に貫通して形成した壁ピン孔３０ｄと、前記貫通孔４ｂ及び壁ピン孔３０ｄを貫通して柱脚鋼板４と壁部材３０を締結する締結具４０と、を具備することを特徴としている。
【０００３】
この壁部材と基礎の接合構造２０の発明によると、基礎Ａに下端側部４ｃを埋設固定された柱脚鋼板４の上端側部４ａをＣＬＴ板材などからなる壁部材３０の底面の開口部３０ａからスリット３０ｃに収納することで、柱脚鋼板４の周囲は壁部材３０によって囲まれることになるので、柱脚鋼板４の貫通孔４ｂ及び壁部材３０の壁ピン孔３０ｄに貫通して固定するドリフトピンやボルト・ナットなどの締結具４０は、地震時の上下方向の大きな振動による柱脚鋼板４の壁部材３０からの抜けを防止すると共に直接に基礎Ａに連結接合することから土台を必要としていないので地震時の土台の曲げによる割裂も生じない。更に、締結具４０は壁部材３０の片方の面の壁ピン孔３０ｄから柱脚鋼板４の貫通孔４ｂを通って他方の面の貫通孔４ｂに達するように貫通させるか或いは打ち込むだけでよいので、壁部材３０の両面から締結具４０を貫通させるか或いは打ち込みさせる必要がないので、設置する手間が少なくてよいなどの利点がある。
【０００４】
しかしながら、このような上記特許出願の発明は新規な接合構造であるために、前記柱脚鋼板４の下方側部４ｃを基礎Ａに埋設固定するメタルアンカー定規が存在しなかった。
【０００５】
なお、特許文献１に示すように、基礎のアンカーボルトを埋設固定する際の位置決め治具は存在するが、この位置決め治具は、アンカーボルトの頭部の両端をコンクリート型枠の上面に支持された基板の上面に設けた傾き抑制片に載せて、基板の裏面に設けた傾き抑制片と共にアンカーボルトの姿勢を真直ぐに安定して維持することができるものである。
【先行技術文献】
【特許文献】
【０００６】
【特許文献１】特開２００８−２１４９８８号公報
【発明の概要】
【発明が解決しようとする課題】
【０００７】
しかしながら上記の特許文献１の従来技術では、前記柱脚鋼板のようなプレートを垂直方向に所定の高さ位置で支えたり、コンクリートの打設時の衝撃に耐えて位置移動を不変とすることはできないという問題点がある。
【課題を解決するための手段】
【０００８】
この発明は上記問題点を解決すべくなされたものであって、その手段とするところは、
一対のメタルフォームの上面に固定される基板と、該基板にメタルフォームの長手方向に平行に形成した柱脚鋼板挿通用の細長いスリット状の開口部と、該開口部の長手方向の開口縁に沿って直立して設けた一対の支持板と、該一対の支持板の隙間で所定位置に前記柱脚鋼板の上方側部に形成した貫通孔と重なり合うように形成した支持孔と、該支持孔及び前記貫通孔に挿通して前記柱脚鋼板を支持板の隙間に挟んだ状態で係止する係止具と、を具備したメタルアンカー定規としたところにある。
【０００９】
前記開口部が基板の幅方向に複数あることにある。
【００１０】
前記開口部が細長いスリット状の開口部の途中に拡大開口部を有することにある。
【発明の効果】
【００１１】
上記のメタルアンカー定規によると、基礎を構築するための一対のメタルフォームの上面に固定された基板の上に、メタルフォームの長手方向に形成された柱脚鋼板挿通用の細長いスリット状の開口部と、該開口部の長手方向の開口縁に沿って直立して設けた一対の支持板とが設けられているので、挿入時に柱脚鋼板の両面が開口部の端縁及び支持板で当接して支持され、安定して直立方向の位置決めがなされる。そして一対の支持板の隙間と開口部から柱脚鋼板を挿入した後、柱脚鋼板の貫通孔と支持板の支持孔を合わせて係止具を挿通して係止するだけで、柱脚鋼板の下方側部を基礎の内部の所定の場所に直立状態で位置させることが出来る。これによって、一対のメタルフォームで形成される基礎の内部空間にコンクリートが打設されても位置ずれをすることがなく、設計通りの位置に埋設固定できる。又、上方側部は、基礎の上面から突出しいるので、壁部材と接合出来る。
【００１２】
前記開口部が基板の幅方向に複数個あれば、複数の柱脚鋼板の下方側部を同時に基礎の内部の所定位置に埋設できる。
【００１３】
長細いスリット状の開口部の途中に拡大開口部があれば、柱脚鋼板が部分的にスリットの開口幅を超える大きな構成を具備している時にでも、一対の支持板の間の上方隙間から柱脚鋼板から挿入することが出来る。
【図面の簡単な説明】
【００１４】
【図１】この発明の第１実施形態の斜視説明図
【図２】基礎へ埋設する柱脚鋼板の斜視図
【図３】柱脚鋼板をセットした第１実施形態の斜視説明図
【図４】図２のＡ−Ａ線断面図
【図５】図２のＢ−Ｂ線断面図
【図６】柱脚鋼板の基礎への埋設固定が完了した全体斜視図
【図７】この発明の第２実施形態の斜視説明図
【図８】基礎へ埋設する他の柱脚鋼板の斜視図
【図９】他の柱脚鋼板をセットした第２実施形態の斜視説明図
【図１０】図９のＣ−Ｃ線断面図
【図１１】図９のＤ−Ｄ線断面図
【図１２】他の柱脚鋼板の基礎への埋設固定が完了した全体斜視図
【図１３】基礎に埋設固定した柱脚鋼板に壁部材のスリットを嵌め込む斜視説明図
【図１４】図１３の嵌め込んだ状態でのＥ−Ｅ線断面図
【発明を実施するための形態】
【００１５】
この発明のメタルアンカー定規の第１実施形態について、図１乃至図６を参照しつつ説明する。第１実施形態のメタルアンカー定規１は、一対のメタルフォーム２の上面に着脱自在に固定される基板３と、該基板３にメタルフォーム２の長手方向に平行に形成した柱脚鋼板４挿通用の細長いスリット状の開口部５と、該開口部５の長手方向の開口縁に沿って直立して設けた一対の相対向する支持板６が２組と、該一対の支持板６の所定位置に前記柱脚鋼板４の上方側部４ａに形成した貫通孔４ｂと重なり合うように形成した支持孔６ａと、該支持孔６ａ及び前記貫通孔４ｂに挿通して前記柱脚鋼板４を支持板６の隙間６ｂに挟んだ状態で係止する係止具７と、を具備する。
【００１６】
前記基板３は、一対のメタルフォーム２の上面に設けられている２つの鍔部２ａにそれぞれボルト等の締付具で着脱自在に固定される一対の横桟８にその両端を固定されることにより、メタルフォーム２の上面に固定されている。この実施形態では横桟８と一体的に形成されているが、別部材として横桟８の上方からビス等で固定しても、あるいは横桟８を介さずに直接鍔部２ａに固定してもよい。一対の横桟８には、基板３の他にも連結片９の両端が連結されて一対のメタルフォーム２の間隔を維持するようにすると共に適度な間隔を開けて配置することによってコンクリートＢの投入用の打設穴１０を形成している。この実施形態では、メタルアンカー定規１の基板３は横桟８と一体として、この横桟８をメタルフォーム２の上面の鍔部２ａに着脱自在に固定するようにしたが、横桟８と基板３を一体としなくて横桟８の上方から鍔部２ａに固定しても良い。あるいは、横桟８を介することなく直接に固定してもよい。
【００１７】
前記一対の支持板６は、前記開口部５の長手方向の開口縁に沿って直立して設けられているので、一対の支持板６の相対向する面の隙間６ｂの距離は開口部５の幅と同じになっている。従って、この開口部５の幅を挿入する柱脚鋼板４の厚さに若干の余裕を持った長さとしておけば、柱脚鋼板４を基板３に対して垂直方向に挟んで保持できる。支持板６の横方向の長さは、スリット状の開口部５の長さと略同じとすることで良く、その高さは、隙間６ｂに挿入する柱脚鋼板４の上方側部４ａと同等かそれより若干長ければ挿入時に手掴み部分が得られるので好ましい。係止具７は、一対の支持板６の隙間６ｂに挿入した柱脚鋼板４の貫通孔４ｂと支持板６の支持孔６ａの位置合わせをした後に差し込んで柱脚鋼板４を一対の支持板６の隙間６ｂで係止するものである。この実施形態では、支持孔６ａは横方向に２つとしたが、数には拘らずに係止できれば良い。尚、柱脚鋼板４の下方側部４ｃには打設されるコンクリートの流通をよくするためとコンクリートの硬化による柱脚鋼板４の抜け防止用の通過孔４ｄが設けられている。
【００１８】
以上のこの第１実施形態によるメタルアンカー定規１を使用する場合には、敷設されている一対のメタルフォーム２の上面の鍔部２ａの所定位置に基板３を固定する。この時に、基板３が横桟８に両端が固定されているならば、基板３に形成した開口部５が基礎Ａの長手方向の所定の位置に納まるように横桟８を固定する。そして、一対の支持板６の隙間６ｂから柱脚鋼板４を挿入して貫通孔４ｂと支持孔６ａの位置合わせを行った後、係止具７を挿入して所定高さ位置に柱脚鋼板４を支持板６に支持するだけで良い。その後、打設穴１０からコンクリートＢが一対のメタルフォーム２の内部に投入されるが、柱脚鋼板４は支持板６に係止具７の２点で固定されると共に両面は支持板６に挟まれていることから、打設の衝撃による柱脚鋼板４の移動は生じなく正確な位置で埋設固定できる。コンクリートＢの硬化後に、逆の手順でメタルアンカー定規１をメタルフォーム２から取り外し、且つ、メタルフォーム２も取り外せば、図６の状態となる。メタルアンカー定規１は繰り返し使用できる。なお、一対のメタルフォーム２の内部にコンクリートＢの打設を先にしておき、後から柱脚鋼板４をメタルアンカー定規１に係止するように順序を変えても差支えはない。
【００１９】
この発明の第２実施形態について、図７乃至図１２を参考にしつつ説明する。 前記第１実施形態と異なるところは、柱脚鋼板４の形状が異なることに伴い、前記基板１に形成した柱脚鋼板４挿通用の細長いスリット状の開口部５、該開口部５の長手方向の開口縁に沿って直立して設けた一対の支持板６の形状が異なることである。
【００２０】
前記柱脚鋼板４が図２に示す第１形態の柱脚鋼板４と異なるところは、図８に示すように、１つの柱脚鋼材４の下方側部４ｃの下端に先端が尖った杭棒１１を溶接等によって固定したことである。この杭棒１１の径は柱脚鋼材４の厚さより太く、しかも尖った先端より少し上方には杭棒１１の径より大きい径を有する円盤状の定着板１２が設けられている。このような柱脚鋼板４を用いる場合に備えて、基板３の長細いスリット状の開口部５に前記定着板１２が通過できる大きさの拡大開口部５ａを対応する所定位置に形成している。そして、支持板６は開口部５の開口縁に沿って直立して設けられているので、この拡大開口部５ａの上方の隙間６ｂにも拡大隙間６ｃが形成されている。
【００２１】
以上のこの第２実施形態によるメタルアンカー定規１を使用する場合には、第１実施形態と同様に、敷設されている一対のメタルフォーム２の上面の鍔部２ａに、基板３に形成した開口部５が形成すべき基礎Ａの所定の位置に納まるように横桟８を固定する。基板３が独立している場合には、直接に鍔部２ａに固定する。そして、一対の支持板６の隙間６ｂから柱脚鋼板４を挿入して貫通孔４ｂと支持孔６ａの位置合わせを行った後、係止具７を挿入して所定高さ位置に柱脚鋼板４を支持板６に支持するだけで良い。この時、定着板１２の径に相当する拡大隙間６ｃ及び拡大開口部５ａが形成されているので、杭棒１１はメタルフォーム２に囲まれた内部空間にまで入り込み、柱脚鋼板４の上方側部４ｂは一対の支持板６の隙間６ｂで係止具７で係止されている状態となる。
【００２２】
その後、打設穴１０からコンクリートＢが一対のメタルフォーム２の内部に投入されるが、柱脚鋼板４は支持板６に係止具７の２点で支持板６に固定されると共に両面は支持板６の隙間６ｂに挟まれていることから、打設の衝撃による柱脚鋼板４の移動は生じなく正確な位置で埋設固定できる。拡大開口部５ａ及び拡大隙間６ｃの個所では、図１０に示すように、柱脚鋼板４が一対の支持板６と接触していないが、他の個所での接触で十分に保持できる。打設したコンクリートＢの硬化後に、逆の手順でメタルアンカー定規１をメタルフォーム２から取り外せば繰り返し使用できる。なお、この第２実施形態の場合でも、一対のメタルフォーム２の内部にコンクリートＢの打設を先にしておき、後から柱脚鋼板４をメタルアンカー定規１に係止するように順序を変えても差支えはない。この第２の実施形態の杭棒１１及び該杭棒１１に定着板１２を備えた柱脚鋼板４を基礎Ａに埋設固定した場合には、定着板１２が引抜き方向に対して大きな抗力を有するので、柱脚鋼板４に固定する図外のＣＬＴ板材等からなる壁部材に上方向や傾き方向に応力が発生しても十分に耐え得る利点がある。
【産業上の利用可能性】
【００２３】
この発明は、今後ますます有効利用されるであろう構造部材を兼ねた壁部材を土台を用いることなく直接に基礎に固定する接合構造を採用する構法に広く利用できる。
【符号の説明】
【００２４】
１      メタルアンカー定規
２      メタルフォーム
３      基板
４      柱脚鋼板
４ａ  上方側部
４ｂ  貫通孔
４ｃ  下方側部
４ｄ  通過孔
５      開口部
５ａ  拡大開口部
６      支持板
６ａ  支持孔
６ｂ  隙間
６ｃ  拡大隙間    
７      係止具
８      横桟
１０      打設穴
１１    杭棒
１２    定着板
【図１】
2018199946.tif 000003
【図２】
2018199946.tif 000004
【図３】
2018199946.tif 000005
【図４】
2018199946.tif 000006
【図５】
2018199946.tif 000007
【図６】
2018199946.tif 000008
【図７】
2018199946.tif 000009
【図８】
2018199946.tif 000010
【図９】
2018199946.tif 000011
【図１０】
2018199946.tif 000012
【図１１】
2018199946.tif 000013
【図１２】
2018199946.tif 000014
【図１３】
2018199946.tif 000015
【図１４】
2018199946.tif 000016